Podtech/llm-jp-corpus-v4-ja_patent huggingface dataset:
(57)【要約】      （修正有）【課題】山越器（走行桁）の水平状態を勘に頼ることなく、現実の状態として認識することのできる山越器を提供する。【解決手段】長手方向の両端部を支持脚２によって支持された左右一対の走行桁１，１に、該走行桁１の前記両端部間を自在に移動するチェーンブロック３を着脱自在に取付けて成り、前記走行桁に水平器９を取付る。水平器９は走行桁１の走行桁の端部の上面に設けた凹入部６の有壁上に設ける。また、水平器９は幅方向の水平状態を表示する第一気泡管と前記幅方向に直交する長手方向の水平状態を表示する第二気泡管を備えている。【選択図】図１
0003167444.tif 000002
【実用新案登録請求の範囲】
【請求項１】
長手方向の両端部を支持脚によって支持された左右一対の走行桁に、該走行桁の前記両端部間を自在に移動するチェーンブロックを着脱自在に取付けて成り、前記走行桁に水平器を取付けた、山越器。
【請求項２】
走行桁の端部の上面に凹入部を設け、該凹入部の有壁上に水平器を設けた、請求項１記載の山越器。
【請求項３】
水平器は幅方向の水平状態を表示する第一気泡管と前記幅方向に直交する長手方向の水平状態を表示する第二気泡管を備えた、請求項１又は２記載の山越器。
【考案の詳細な説明】
【技術分野】
【０００１】
本考案は、鉄道の保線作業の中で、レールを吊上げ、移動する際に適用する山越器に関するものである。
【背景技術】
【０００２】
山越器は、長手方向の両端部を支持脚で支持された前後一対の、互いに平行な走行桁上に、該走行桁杆の間隙に、先端にレールキャッチを有するチェーンを通した巻き上げ機（チェーンブロック）を移動自在に載せた構成を採り、巻き上げ機（複数個の山越器）でレールを一定の高さに保持し、該巻き上げ機（の本体）を走行桁の長手方向に沿わせて移動させることにより、レールの移動を図るようになっている（例えば、特許文献１）。
【先行技術文献】
【特許文献】
【０００３】
【特許文献１】特開平８−３１０７８６号公報
【考案の概要】
【考案が解決しようとする課題】
【０００４】
例えば、一般に知られている前記従来構造の山越器は、レール等の、バランスの取りにくい、長尺で重量の有るものを巻き上げ機によって移動するに際し、負荷される重量に対処するため、道床上に安定的に設置する必要がある。殊に、巻き上げ機の移動に伴って重心が移動することから、道床上での設置時は勿論、支持脚で支持された走行桁が重心の移動によっても水平を維持する必要があり、水平の維持が欠けると重大な事故が生じるおそれがある。
【０００５】
そして、山越器は設置する個所のほとんどがバラスト（磁石）上など不安定な場所が多く、支持脚（調節装置付の場合は）の高さ調節を行ったり、角材などを敷いて、勘によって走行桁の水平性を確認するようにしている。
【０００６】
本考案は、斯様に常況に着目し、走行桁の水平状態を勘に頼って判断するのではなく、現実の状態として認識することのできる山越器を提供することを目的として創案したものである。
【課題を解決するための手段】
【０００７】
長手方向の両端部を支持脚によって支持された左右一対の走行桁に、該走行桁の前記両端部間を自在に移動するチェーンブロックを着脱自在に取付けて成り、前記走行桁に水平器を取付けた構成を基本的手段とする。この基本的手段に走行桁の端部の上面に凹入部を設け、該凹入部の底壁上に水平器を設けた点を付加することにより桁材に取付けてあっても突起物として邪魔になることはなく、事物に衝接させても損傷を負うことなく耐久的な水平器付山越器を提供できる。
【考案の効果】
【０００８】
本考案によれば、レールの移動作業に移る前に、水平器を目視して山越器すなわち走行桁の水平状態を確認することができ、従って、山越器の傾きから生じる無用な事故を事前に防ぐことができる。殊に、水平器は山越器の桁材に取付けてあるから、山越器を一体的にして現場への運搬を行え、別体にしてあることによる弊害を防ぐことができる。
【図面の簡単な説明】
【０００９】
【図１】山越器の正面図。
【図２】図１の平面図。
【図３】図２の一部拡大図。
【図４】図３のｘ−ｘ線断面図。
【図５】図４の一部欠截側面図。
【考案を実施するための形態】
【００１０】
図中、Ａは山越器で、山越器Ａは、間隙ａを存して長手方向に沿って互いに並行させた左右一対の走行桁１，１の両端部を、左右一対の支持脚２，２を備えた脚体２Ａに支持させて構成し、前記走行桁１，１上に、先端にレールキャッチ３１を有するチェーン３２を前記間隙ａに挿通させたチェーンブロック３の本体部３３を走行自在に載置し、レールキャッチ３１でレールを保持するようにして移動させるようにしたものである。
【００１１】
この山越器Ａの前記走行桁１，１の一端部には、中央枠部４ａの上端両側に互いに反対方向に水平部４ｂ，４ｂを突設して構成した溝枠体４を、中央枠部４ａを前記間隙ａに係合し、水平部４ｂ，４ｂを前記走行桁１，１上に載置してボルト５締めして構成した凹入部６を設けてある。
【００１２】
凹入部６は、中央枠部４ａに前後の壁片７，８を溶接して、四周壁で取り囲まれた上面開口の区画室で成り、走行桁１の上面より低く配し、その底壁６ａ上には、水平器９を重ね合わせ、ねじ１０で着脱可能に止着して設けてある。
【００１３】
水平器９は、水平器主体９ａに、山越器Ａの幅方向の水平状態を表示する第一気泡管９ｂと前記幅方向に対し直交する、山越器Ａの長手方向の水平状態を表示する第二気泡管９ｃを備えたものである。
【００１４】
そして、この水平器９を備えた山越器Ａを、現場における設置場所において、水平器９（気泡管９ｂ，９ｃ）を目視して水平状態を確認して用いるのである。
【符号の説明】
【００１５】
１      走行桁
２      支持脚
３      チェーンブロック
６      凹入部
９      水平器
【図１】
0003167444.tif 000003
【図２】
0003167444.tif 000004
【図３】
0003167444.tif 000005
【図４】
0003167444.tif 000006
【図５】
0003167444.tif 000007
(57)【要約】      （修正有） 【課題】身体の腹部から臀部までを覆う長さの伸縮性がある生地で織られた又は、編まれた腹巻に伸縮する布で「使い捨てカイロ」などの熱源体を装着できる大きさのポケットを計４箇所設け、健康増進に寄与するポケット付腹巻を提供する。【解決手段】身体の腹部から臀部までを覆う長さの伸縮性がある生地で織られた又は、編まれた腹巻１に東洋医学に基づいたツボの位置に伸縮する布でポケットを設け、そのポケットに「使い捨てカイロ」などの熱源体を目的により装着して使用する。前面中央部にポケット、後面上部中央にポケット３、後面下部左側にポケット４、後面下部右側にポケット５又は、前面上部中央にポケット３、前面下部右側にポケット４、前面下部左側にポケット５、後面中央部にポケットという二通りの装着方法を選択し、必要箇所のポケットに「使い捨てカイロ」などの熱源体を装着し使用する。【選択図】図１
0003167419.tif 000002
【実用新案登録請求の範囲】
【請求項１】
身体の腹部から臀部までを覆う長さの伸縮性がある生地で織られた又は、編まれた腹巻の前面中央部に１箇所、後面上部中央に１箇所、後面下部の右側に１箇所、左側に１箇所に伸縮する布で「使い捨てカイロ」などの熱源体を装着できる大きさのポケットを計４箇所、設けることを特徴とする前面・後面を反転して使用できるポケット付腹巻。  
【考案の詳細な説明】
【技術分野】
【０００１】
本考案は、東洋医学に基づいたツボを温めることで身体を守る腹巻の改良に関するものである。
【背景技術】
【０００２】
従来より、腹巻は保温やお腹を温めることを使用目的として老若男女が使用している。しかし、臀部やソケイ部にある東洋医学に基づいたツボを温めることについては不充分であった。
【考案の概要】
【考案が解決しようとする課題】
【０００３】
臀部やソケイ部の東洋医学に基づいたツボを温めるために「使い捨てカイロ  貼るタイプ」などの熱源体を腹巻や下着に貼りつけていたが、脱ぎ着したり、日常生活行動による剥落や、位置がずれたりして保持することが難しく問題であった。本考案は、前述のような欠点を解決しょうとするものである。
【課題を解決するための手段】
【０００４】
本考案は、身体の腹部から臀部までを覆う長さの伸縮性がある生地で織られた又は、編まれた腹巻に、東洋医学に基づいたツボの位置に伸縮する布で「使い捨てカイロ」などの熱源体を装着できる大きさのポケットを前面と後面に計４箇所設けることにより、脱ぎ着する時や、日常生活行動による「使い捨てカイロ」などの熱源体の剥落を防止し、ツボの位置の保持が可能となり、問題点を解決している。
【考案の効果】
【０００５】
上述の様に、本考案の「前面・後面を反転して使用できるポケット付腹巻」は、腹巻に東洋医学に基づいたツボにポケットを設けることにより、従来からある腹巻の保温効果に加え、東洋医学に基づいたツボに対して、本考案では熱源を「使い捨てカイロ」などに求めることができ、「使い捨てカイロ」などの熱源体の剥落や、ツボの位置の保持の心配もなく、目的に合った腹巻の効用を得ることができ心身の健康増進となる。
【図面の簡単な説明】
【０００６】
【図１】本考案に係わる腹巻の後面（反転させた時は前面）の平面図である。
【図２】本考案に係わる腹巻の前面（反転させた時は後面）の平面図である。
【図３】本考案に係わる腹巻を装着した前面の装着図である。
【図４】本考案に係わる腹巻を装着した後面の装着図である。
【図５】本考案に係わる腹巻を反転して装着した前面の装着図である。
【図６】本考案に係わる腹巻を反転して装着した後面の装着図である。
【考案を実施するための形態】
【０００７】
本考案に係わる前面・後面を反転して使用できるポケット付腹巻は、東洋医学に基づいたツボを温める為に「使い捨てカイロ」などを熱源として、図１のとおり、身体の腹部から臀部までを覆う長さの伸縮性がある生地で織られた又は、編まれた腹巻に、東洋医学に基づいたツボの位置に伸縮する布で「使い捨てカイロ」などの熱源体を装着できる大きさのポケットを設け、そのポケットに「使い捨てカイロ」などの熱源体を使用目的に応じて装着し使用する。東洋医学に基づいたツボを温めることによって血流を改善させ新陳代謝を促進し、自己免疫力を向上させ健康増進がはかられる。
【実施例】
【０００８】
以下、添付図面に従って実施例を説明する。身体の腹部から臀部までを覆う長さの伸縮性がある生地で織られた又は、編まれた腹巻１の前面中央部に１箇所、後面上部中央に１箇所、後面下部の右側に１箇所、左側に１箇所のポケットの配置で使用した時、ポケット２を臍に合わせると、東洋医学に基づいたツボである神ケツ穴の位置になり、ポケット３は、東洋医学に基づいたツボである命門穴、ポケット４、５は、東洋医学に基づいたツボである秩辺穴の位置になる。ポケット２を臍の下に合わせて使用すると関元穴の位置になり、ポケット３は、腰陽関穴、ポケット４、５は、環跳穴の位置になる。「使い捨てカイロ」などの熱源体を東洋医学に基づいたツボを温めることで得られる目的に応じてポケットを選択して使用して使うことができる。
【０００９】
上述の腹巻を反転して、身体の腹部から臀部までを覆う長さの伸縮性がある生地で織られた又は、編まれた腹巻１の後面中央部に１箇所、前面上部中央に１箇所、前面下部の右側に１箇所、左側に１箇所のポケットの配置で使用した時、ポケット３を臍に合わせると、東洋医学に基づいたツボである神ケツ穴の位置になり、ポケット２は、命門穴、ポケット４、５は、子宮穴の位置になる。ポケット３を臍の下に合わせて使用すると、東洋医学に基づいたツボである関元穴、ポケット２は、腰陽関穴、ポケット４、５は、 気衝穴の位置になる。「使い捨てカイロ」などの熱源体を用いて東洋医学に基づいたツボを温めることで得られる目的に応じて４箇所のポケットを選択して使用して使うことができる。
【産業上の利用可能性】
【００１０】
東洋医学に基づく施術をする鍼灸業では、患者に治療ポイントに印しをして、その印しに患者が自宅で灸をするという習慣がある。本考案に係わる前面・後面を反転して使用できるポケット付腹巻は、施術者が患者に対して、必要箇所のポケットに「使い捨てカイロ」などの熱源体を挿入することをアドバイスすることにより、安全かつ簡単に効果が得られる。
【符号の説明】
【００１１】
１  伸縮性がある生地で織られた又は、編まれた腹巻
２  ポケット（前面中央部又は反転して装着した時、後面中央部）
３  ポケット（後面上部中央又は反転して装着した時、前面上部中央）
４  ポケット（後面下部右側又は反転して装着した時、前面下部左側）
５  ポケット（後面下部左側又は反転して装着した時、前面下部右側）
Ａ  身体の前面部
Ｂ  身体の後面部
【図１】
0003167419.tif 000003
【図２】
0003167419.tif 000004
【図３】
0003167419.tif 000005
【図４】
0003167419.tif 000006
【図５】
0003167419.tif 000007
【図６】
0003167419.tif 000008
(57)【要約】      （修正有）【課題】占有空間を節約し、コストを削減し、良好な作業品質を確実にする効果を備える電池コネクタを提供する。【解決手段】電池コネクタは、絶縁本体と導電端子を備える。絶縁本体上に固設する導電端子は、板状の固定支持部と、それぞれが固定支持部から折り曲がった状態で延伸する二つの弾性アームと、それぞれが弾性アームから延伸して形成される二つの接触部とを備える。導電端子の二つの接触部がそれぞれ、電池の正極及び他の電池の負極に電気的に接続する。【選択図】図２
0003167539.tif 000002
【実用新案登録請求の範囲】
【請求項１】
絶縁本体と、
絶縁本体上に固設し、板状の固定支持部と、それぞれが固定支持部から折り曲がった状態で延伸する二つの弾性アームと、それぞれが弾性アームから延伸して形成される二つの接触部とを配置する導電端子とを備えることを特徴とする電池コネクタ。
【請求項２】
前記絶縁本体には、板状の基板と、基板の両側からそれぞれが上方向に延伸する制御支持板と、基板後方部の概ね中央箇所に上方向に突出し前方向に延伸するストッパー板とを備え、
二つの制御支持板とストッパー板を繞設して収容空間を形成し、
二つの制御支持板上端にはそれぞれ、下向きの収容溝を設け、基板と密着する制御支持板の底端箇所にはそれぞれ、収容空間に繋がる嵌合支持溝を配置し、ストッパー板と基板の間には、収容空間３０に繋がり取り囲む状態の制御支持溝を配置し、
導電端子の固定支持部の中央後方部は制御支持溝内に制御支持される状態で配置し、固定支持部の両側は嵌合支持溝内に嵌入支持される状態で配置し、弾性アームは収容空間内におさめ入れ、接触部は収容溝から絶縁本体外へと延伸させることを特徴とする請求項１に記載の電池コネクタ。
【請求項３】
前記固定支持部の両側の前端にはそれぞれ嵌合溝を配置することを特徴とする請求項１に記載の電池コネクタ。  
【考案の詳細な説明】
【技術分野】
【０００１】
本考案は、コネクタに関するもので、特に、電池コネクタに係る。
【背景技術】
【０００２】
現在は、二つの電池を繋いだ時、一般には二つの電池コネクタを用い、電子回路基板を組み合わせて実現する。その内、一つの電池コネクタを電池の正極及び電子回路基板に接続し、もう一つの電池コネクタを他の電池の負極及び電子回路基板に接続する。
【０００３】
前述した二つの電池コネクタを用い、電子回路基板を二つの電池に繋ぐ方式は、その構造が複雑で、占有空間も大きく、コスト高で、電池コネクタと電子回路基板の接触不良を起こしやすいため、作業品質に影響を及ぼす。
【考案の概要】
【考案が解決しようとする課題】
【０００４】
本考案の目的は、前述の公知技術に存在する不足点に対し、占有空間を節約し、コストを削減し、作業品質を更に確実にする電池コネクタを提供することにある。
【課題を解決するための手段】
【０００５】
前述の目的を達成するために、本考案の提供する電池コネクタは、絶縁本体と導電端子を備える。絶縁本体上に固設する前記導電端子は、板状の固定支持部と、それぞれが固定支持部から折り曲がった状態で延伸する二つの弾性アームと、それぞれが弾性アームから延伸して形成される二つの接触部とを備える。      
【考案の効果】
【０００６】
前述のとおり、本考案の電池コネクタは、導電端子の二つの接触部がそれぞれ、電池の正極及び他の電池の負極に電気的に接続することにより、占有空間を節約し、コストを削減し、良好な作業品質を保証する効果を備える。
【図面の簡単な説明】
【０００７】
【図１】本考案の電池コネクタに関する立体斜視図である。
【図２】図１に示す電池コネクタの立体分解図である。
【図３】図２に示す電池コネクタの絶縁本体の立体図である。
【考案を実施するための形態】
【０００８】
本考案の技術内容、構造特徴、それの達成する目的及び効果を詳細するために、次に、図面を組み合わせた実施例を用いて説明を行なう。
【実施例】
【０００９】
図１に示す通り、本考案の電池コネクタ１００は、絶縁本体１０及び導電端子２０を備える。
【００１０】
図２及び図３に示す通り、前記絶縁本体１０には、板状の基板１１と、基板１１の両側からそれぞれが上方向に延伸する制御支持板１２と、基板１１後方部の概ね中央箇所に上方向に突出し前方向に延伸するストッパー板１３とを備え、二つの制御支持板１２とストッパー板１３を繞設して収容空間３０を形成する。二つの制御支持板１２上端にはそれぞれ、下向きの収容溝１２１を設け、基板１１と密着する制御支持板１２の底端には収容空間３０に繋がる嵌合支持溝１２２を配置する。ストッパー板１３と基板１１の間には、収容空間３０に繋がる制御支持溝１３１を配置する。
【００１１】
絶縁本体１０上に固設する前記導電端子２０は、板状の固定支持部２１と、それぞれが固定支持部２１後端の一方側端から上方向に折り曲がった状態で、固定支持部２１の前端方向に斜め上方向に延伸する二つの弾性アーム２２と、それぞれが弾性アーム２２の前端から外側斜め上方向に延伸して対称的に配置される二つの接触部２３とを備える。前記固定支持部２１両側の前端には嵌合溝２１１を設ける。
【００１２】
図２及び図３に示すとおり、本考案の電池コネクタ１００を組み合わせる場合、前記導電端子２０を絶縁本体１０上に固設し、固定支持部２１の中央後方部を制御支持溝１３１内に制御支持される状態で配置し、固定支持部２１の両側を絶縁本体１０の嵌合支持溝１２２内に嵌入支持される状態で配置し、弾性アーム２２を収容空間３０内におさめ入れ、接触部２３は収容溝１２１から絶縁本体１０外に延伸する。絶縁本体１０は、一部プラスチックが、固定支持部２１側辺の押圧作用によって、嵌合溝２１１内に充填されるため、導電端子２０の保持力を高めることができる。
【００１３】
本考案の電池コネクタ１００の使用時には、導電端子２０の内の接触部２３を電池の正極に電気的に接続し、もう一方の接触部２３を別の電池の負極に電気的に接続し、二つの電池を連結する。
【００１４】
前述したとおり、本考案の電池コネクタ１００は、導電端子２０の二つの接触部２３をそれぞれ、電池の正極と別の電池の負極に電気的に接続するため、占有空間を節約し、コストを削減し、作業品質を更に確実にすることを可能にする。      
【符号の説明】
【００１５】
１００  電池コネクタ
１０  絶縁本体
１１  基板
１２  制御支持板
１２１  収容溝
１３  ストッパー板
１３１  制御支持溝
２０  導電端子
２１  固定支持部
２１１  嵌合溝
２２  弾性アーム
２３  接触部
３０  収容空間
【図１】
0003167539.tif 000003
【図２】
0003167539.tif 000004
【図３】
0003167539.tif 000005
(57)【要約】【課題】細径化しても肉厚を確保して強度を確保することができることにより、正確に穿刺を行うことができるとともに、人体から抜き取る際に血液などが飛散するのを抑制することのできるカテーテル留置用針を提供する。【解決手段】円柱状の胴部１３の中心に軸方向へ孔１５が形成されたカテーテル留置用針１１において、孔１５の直径ｄを、胴部１３の外径Ｄの３５．４８％〜３９．２９％とし、かつ、０．２２ｍｍ〜０．３３ｍｍとする。【選択図】図３
0003167575.tif 000002
【実用新案登録請求の範囲】
【請求項１】
円柱状の胴部の中心に軸方向へ孔が形成されたカテーテル留置用針において、
前記孔の直径を、前記胴部の外径の３５．４８％〜３９．２９％とし、かつ、０．２２ｍｍ〜０．３３ｍｍとした、
ことを特徴とするカテーテル留置用針。
【請求項２】
請求項１に記載のカテーテル留置用針において、
前記胴部に、前記孔を露出させるサイドホールを設け、
前記サイドホールの幅を、前記孔の直径よりも狭くした、
ことを特徴とするカテーテル留置用針。
【考案の詳細な説明】
【技術分野】
【０００１】
この考案は、カテーテルと人体の血管を接続するために使用するカテーテル留置用針に関するものである。
【背景技術】
【０００２】
治療のために血液透析や輸液、輸血などを行うための器具としてカテーテルが使用されるが、このカテーテルを人体の血管に接続するためにカテーテル留置用針が使用されている。
【０００３】
このカテーテル留置用針は、円柱状の胴部の中心に軸方向へ孔が形成された構成とされている（例えば、特許文献１参照。）。
【先行技術文献】
【特許文献】
【０００４】
【特許文献１】特開２００８−１７３４６３号公報
【考案の概要】
【考案が解決しようとする課題】
【０００５】
このカテーテル留置用針は、穿刺痛を軽減するために細径化すると、強度が低下して穿刺時に変形し易くなる。
【０００６】
そのため、正確に穿刺を行うことが難しくなり、穿刺性能が低下することが考えられる。
【０００７】
この考案は、上記した不都合を解消するためになされたもので、細径化しても肉厚を確保して強度を確保することができることにより、正確に穿刺を行うことができるとともに、人体から抜き取る際に血液などが飛散するのを抑制することのできるカテーテル留置用針を提供するものである。
【課題を解決するための手段】
【０００８】
（１）この考案は、円柱状の胴部の中心に軸方向へ孔が形成されたカテーテル留置用針において、前記孔の直径を、前記胴部の外径の３５．４８％〜３９．２９％とし、かつ、０．２２ｍｍ〜０．３３ｍｍとしたことを特徴とする。
【０００９】
（２）この考案は、（１）に記載のカテーテル留置用針において、前記胴部に、サイドホールを設け、前記サイドホールの幅を、前記孔の直径よりも狭くしたことを特徴とする。
【考案の効果】
【００１０】
この考案によれば、孔の直径を、胴部の外径の３５．４８％〜３９．２９％とし、かつ、０．２２ｍｍ〜０．３３ｍｍとしたので、すなわち、孔の直径を細くしたので、細径化しても肉厚を確保して強度を確保することができることにより、正確に穿刺を行うことができるとともに、人体から抜き取る際に、血液などが飛散するのを抑制することができる。
【００１１】
また、胴部に、サイドホールを設け、サイドホールの幅を、孔の直径よりも狭くしたので、細径化しても肉厚を確保して強度を確保しつつ、フラッシュバックを確認することができる。
【図面の簡単な説明】
【００１２】
【図１】この考案の一実施例であるカテーテル留置用針を示す斜視図である。
【図２】図１に示したカテーテル留置用針の側面図である。
【図３】図２のＡ−Ａ線による拡大断面図である。
【図４】図２のＢ−Ｂ線による拡大断面図である。
【考案を実施するための形態】
【００１３】
以下、この考案の実施例を図面を参照して説明する。
【００１４】
図１はこの考案の一実施例であるカテーテル留置用針を示す斜視図、図２は図１に示したカテーテル留置用針の側面図、図３は図２のＡ−Ａ線による拡大断面図、図４は図２のＢ−Ｂ線による拡大断面図である。
【００１５】
図１および図２に示すように、カテーテル留置用針１１は、例えば、ステンレス鋼、アルミニウム、チタンあるいはこれらの合金などの金属からなる円柱状の胴部１３で構成されている。
【００１６】
この胴部１３には、図３に示すように、中心に軸方向へ貫通する孔（穴）１５が設けられているとともに、図１に示すように、サイドホール（孔１５に連通する周面の開口部）１７が設けられている（すなわち、胴部１３は、スリーブで構成されている。）。
【００１７】
上記した孔１５は、表１に示すように、直径ｄが胴部１３の外径Ｄの３５．４８％〜３９．２９％で、かつ、０．２２ｍｍ〜０．３３ｍｍである。
【００１８】
表１において、外径Ｄは胴部１３の外径を示し、孔径ｄは孔１５の直径を示し、肉厚ｔは、胴部１３の肉厚を示している。
【００１９】
【表１】
0003167575.tif 000003
【００２０】
また、上記したサイドホール１７は、図２および図４に示すように、幅ｗ（胴部１３の軸方向と直交する方向の長さ）が孔１５の直径ｄよりも狭くされている。
【００２１】
上述したように、この考案の一実施例によれば、孔１５の直径ｄを、胴部１３の外径の３５．４８％〜３９．２９％とし、かつ、０．２２ｍｍ〜０．３３ｍｍとしたので、すなわち、孔１５の直径ｄを細くしたので、カテーテル留置用針１１を細径化してもカテーテル留置用針１１の肉厚ｔを確保して強度を確保することができることにより、正確に穿刺を行うことができる。
【００２２】
また、孔１５の直径ｄを細くしたので、すなわち、カテーテル留置用針１１を流れる血液などの流量を少なくしたので、カテーテル留置用針１１を人体から抜き取る際に、血液などが飛散するのを抑制することができる。
【００２３】
また、胴部１３に、サイドホール１７を設け、サイドホール１７の幅ｗを、孔１５の直径ｄよりも狭くしたので、カテーテル留置用針１１を細径化してもカテーテル留置用針１１の肉厚ｔを確保して強度を確保しつつ、フラッシュバックを確認することができる。
【００２４】
上記した実施例では、孔１５の直径ｄを、胴部１３の外径Ｄの３５．４８％〜３９．２９％とし、かつ、０．２２ｍｍ〜０．３３ｍｍとした例で説明したが、カヌラゲージの大きさにもよるが、孔１５の直径ｄを、胴部１３の外径Ｄの３０．００％〜４２．００％とし、かつ、０．２０ｍｍ〜０．３５ｍｍとしても、同様な効果を得ることができる。
【００２５】
また、孔１５がカテーテル留置用針１１の胴部１３を全長に渡って貫通する例で説明したが、これに限るものではない。例えば、孔１５がカテーテル留置用針１１の先端からサイドホール１７が設けられた胴部１３の一部までに渡って設けられていてもよい。
【符号の説明】
【００２６】
１１  カテーテル留置用針
１３  胴部
１５  孔
１７  サイドホール
Ｄ    胴部の直径
ｄ    孔の直径
ｔ    胴部の肉厚
ｗ    サイドホールの幅
【図１】
0003167575.tif 000004
【図２】
0003167575.tif 000005
【図３】
0003167575.tif 000006
【図４】
0003167575.tif 000007
(57)【要約】      （修正有）【課題】伸縮性を有する細幅織物において、表面に文様を形成した紋糸が裏面に現れることがなく、且つ厚みを感じさせない織物を提供する。【解決手段】経糸に伸縮糸を用い、緯糸に任意の糸を用いて袋織により表裏布を形成する。紋糸を表裏布の中間に差し込んで一方の面に文様を形成する。二重織組織により表裏布を形成してもよい。伸縮糸がカバリングをしたゴム糸であってもよい。【選択図】図１
0003167571.tif 000002
【実用新案登録請求の範囲】
【請求項１】
経糸に伸縮糸を用い、緯糸に任意の糸を用いて袋織により表裏布を形成すると共に、紋糸を表裏布の中間に差し込んで一方の面に文様を形成したことを特徴とする細幅織物。
【請求項２】
二重織組織により表裏布を形成したことを特徴とする請求項１記載の細幅織物。
【請求項３】
伸縮糸がカバリングをしたゴム糸であることを特徴とする請求項１又は２記載の細幅織物。
【考案の詳細な説明】
【技術分野】
【０００１】
本考案は細幅織物に関するものである。
【背景技術】
【０００２】
本考案は細幅織物に関するものであり、例えばインナー用の衣服において肩紐等には、伸縮性のある細幅織物が用いられている。
そして、通常の伸縮性を有する細幅織物は、経糸の一部に伸縮糸（ゴム糸やスパンテックス等）を用いて緯糸に任意の非伸縮性糸を打ち込んで織っている。
【０００３】
この場合、織製時にテンションを与えられた伸縮糸が製織後に縮むため、それに従って他の経糸も縮んで厚みを増してしまう。
また、表面に文様を装飾するとなると、裏面の肌に直接触れる面に紋糸が部分的に現れたり糸端が残ってしまうため、裏面の紋糸が直接肌に触れて、感触が好ましくなかったり、ホック等に絡んだり引っ掛かってしまい、共に損傷の原因となるのである。
【先行技術文献】
【特許文献】
【０００４】
【特許文献１】特開平１０−１９５７３３号公報
【特許文献２】実開平０６−６９２８３号公報
【特許文献３】実開昭６２−１６２２７７号公報
【考案の概要】
【考案が解決しようとする課題】
【０００５】
そこで、本考案は伸縮性を有する細幅織物において、表面に文様を形成した紋糸が裏面に現れることがなく、且つ厚みを感じさせない細幅織物を提供せんとするものである。
【課題を解決するための手段】
【０００６】
本考案に係る請求項１の細幅織物は、経糸に伸縮糸を用い、緯糸に任意の糸を用いて袋織により表裏布を形成すると共に、紋糸を表裏布の中間に差し込んで一方の面に文様を形成したことを特徴とするものである。
【０００７】
請求項２の細幅織物は、請求項１の考案において、二重織組織により表裏布を形成したことを特徴とするものである。
【０００８】
請求項３の細幅織物は、請求項１又は２の考案において、伸縮糸がカバリングをしたゴム糸であることを特徴とするものである。
【考案の効果】
【０００９】
請求項１の考案は、経糸を総て伸縮糸とすることで、製織後に縮んでも厚みには殆ど影響が無く薄厚の伸縮性織物と成る効果がある。
また、袋織として、表裏布を形成したものであるから、紋糸を表裏布の中間に差し込んで表布面に文様を形成するため、裏布面に紋糸が現れず通常の織布面となり、肌への感触が良好になる効果を有するのである。
【００１０】
請求項２の考案は、二重織り組織で表裏布を構成したため、紋糸を表裏布の中間に差し込むことが可能であり、請求項１と同様の効果を得られるものである。
【００１１】
請求項３の考案は、請求項１又は２の効果に加えて、伸縮糸がカバリングされているため、けば立たずに製織が容易に成ると共に、カバリング糸に着色した糸を用いることも製織後に染色やプリントをすることも可能となり、多様性のある文様を施せる効果を有する。
また、カバリング糸に抗菌性、消臭性或いは吸水性を有する糸を用い、或いは加工処理することにより機能性を容易に付与できる効果も有する。
【図面の簡単な説明】
【００１２】
【図１】本考案の細幅織物の一実施の形態を示す表面図である。
【図２】本考案の細幅織物の一実施の形態を示す裏面図である。
【図３】図１の細幅方向の断面図である。
【図４】伸縮糸の他の実施例を示す正面図である。
【考案を実施するための形態】
【００１３】
次に本考案の実施の一態様を図面に基づいて説明する。
図１は本考案の細幅織物の一実施の形態を示す表面図、図２は同裏面図、図３は細幅方向の断面図である。
【００１４】
本考案の細幅織物１は、経糸を総て伸縮糸２とし、緯糸に任意の糸４を用いて袋織により表裏布１Ａ、１Ｂを形成すると共に、紋糸５を表裏布１Ａ、１Ｂの中間に差し込んで表布１Ａ面に文様６を形成したものである。
【００１５】
経糸を総て伸縮糸２とすることで、製織後に縮んでも厚みには殆ど影響が無く薄厚の伸縮性織物と成る。
また、袋織により表裏布１Ａ、１Ｂを形成したものであるから、紋糸５を表裏布１Ａ、１Ｂの中間に差し込んで表布１Ａ面に文様６を形成することができ、裏布１Ｂ面に紋糸５が現れず通常の織布面となり、肌への感触が良好になる。
【００１６】
縦糸の伸縮糸２は、ゴム糸やポリウレタン弾性糸等を使用し、好ましくは任意のカバリング糸３でカバリングするのが好ましく、芯糸となる伸縮糸２によって伸縮性も保持されるものである。
【００１７】
カバリングすることにより、製織時にけば立ちを防止し、カバリング糸３に着色糸を用いたり、ゴム糸には出来ない製織後の染色やプリントが可能となり、更には抗菌加工や消臭加工或いは吸水加工を施したものにすることもできる。
【００１８】
緯糸には糸の限定がなく任意の糸４を用いて袋織りで表裏布１Ａ、１Ｂを組織すると共に、紋糸５を表裏布１Ａ、１Ｂの中間に差し込んで表面１Ａに文様６を形成するように製織するものである。
また、表裏面布１Ａ、１Ｂの形成は二重織りで組織してもよい。
【００１９】
以上、図面の実施例に基づき本考案を説明したが、本考案は上記実施例に何ら限定されるものではなく、本考案の趣旨を逸脱しない範囲内で種々の改良変形が可能であることは容易に推察できるものである。
【符号の説明】
【００２０】
１    細幅織物
１Ａ  表布
１Ｂ  裏布
２    伸縮糸
３    カバリング糸
４    任意の糸
５    紋糸
６    文様
【図１】
0003167571.tif 000003
【図２】
0003167571.tif 000004
【図３】
0003167571.tif 000005
【図４】
0003167571.tif 000006
(57)【要約】      （修正有）【課題】パレットに入ったワークを反転し、落下させる場合の高衝撃騒音を低くする為のパレット反転装置を提供する。【解決手段】ワーク１１が入ったパレット２をパレット保持器４に挿入する。動力源８の動力により、パレット保持器４に設けられた回転シャフトを回転させ、パレット２とパレット保持器４を一体で反転させる。パレット保持器４に設けられた開閉蓋１を蓋開閉装置３によって開き、パレット２内部のワーク１１を徐々に落下させる。【選択図】図１
0003167501.tif 000002
【実用新案登録請求の範囲】
【請求項１】
パレット（２）をパレット保持器（４）に挿入し、動力源（８）の動力により、パレット保持器（４）に設けられた回転シャフト（７）を回転させ、パレット（２）とパレット保持器（４）を一体で反転させる。パレット保持器（４）の開閉蓋（１）を蓋開閉装置（３）によって開き、パレット（２）内部のワーク（１１）を落下させるパレット反転装置。
【考案の詳細な説明】
【技術分野】
【０００１】  この考案は、パレット（２）に入ったワーク（１１）を反転し、落下させる場合の高衝撃騒音を低くする為のパレット反転装置である。
【背景技術】
【０００２】  従来の技術の欠点は、パレット（２）に入ったワーク（１１）を反転し、落下させる場合、蓋開閉装置（３）が無いため、一気にワーク（１１）が上部より落下するため、ワーク受け機器（６）等との衝撃により、高衝撃騒音が発生していた為、低騒音型パレット反転装置が望まれていた。
【先行技術文献】
【０００３】
【考案の概要】
【考案が解決しようとする課題】
【０００４】  パレット（２）に入ったワーク（１１）を反転し、落下させる場合、ワーク受け機器（６）等との衝撃により、高衝撃騒音が発生していた。本考案はこれらの欠点を解決する為になされた物である。
【課題を解決するための手段】
【０００５】  ワーク（１１）が入ったパレット（２）をパレット保持器（４）に挿入する。動力源（８）の動力により、パレット保持器（４）に設けられた回転シャフト（７）を回転させ、パレット（２）とパレット保持器（４）を一体で反転させる。パレット保持器（４）に設けられた開閉蓋（１）を蓋開閉装置（３）によって開き、パレット（２）内部のワーク（１１）を徐々に落下させる。本考案は以上の構成からなる、低騒音型パレット反転装置である。
【考案の効果】
【０００６】  考案の効果を説明すれば、従来のパレット反転装置の構造に近いので、製作費も特別高額にならず製作できるし、高衝撃騒音をかなり低く押さえる事ができるので、防音・騒音対策に優れ、直接作業オペレーターにはもちろん、工場内で働く他の作業者の安全衛生上にも良い作業環境を提供する事ができるし、工場近隣に生活する人々の環境衛生上、良い生活環境を提供する事ができる優れた装置である。
【図面の簡単な説明】
【０００７】
【図１】  実施図…正面図（左側面より、パレット（２）の挿入を示す、及び反転した状態を示す図
【図２】  実施図…右側面図
【図３】  実施図…防音カバーを設置した状態を示す正面図
【考案を実施するための形態】
【０００８】  ［１］考案の構造を説明すれば、ワーク（１１）が入ったパレット（２）をパレット保持器（４）に挿入する。動力源（８）の動力により、パレット保持器（４）に設けられた回転シャフト（７）を回転させ、パレット（２）とパレット保持器（４）を一体で反転させる。パレット保持器（４）に設けられた開閉蓋（１）を蓋開閉装置（３）によって開き、パレット（２）内部のワーク（１１）を徐々に落下させワーク受け機器（６）等で受け止める。本考案は以上の構成からなる。
［２］蓋開閉装置（３）は自動式・手動式・半自動式…電動モーター式・シリンダー（エアー・電動・油圧・他）式、チェープロック式・機械開閉式。及びその他任意の方式も考えられる。
［３］パレット保持器（４）も箱式のほか、爪保持式、篭保持式、その他任意の方式が考えられる。
［４］フレーム（５）も単独設置・あるいは他の設備に設置、あるいは他の設備をフレーム（５）の代用にする事もできし、その他任意の方法も考えられる。
［５］ワーク（１１）ワーク受け機器（６）もシューターの他に、箱式、篭式、他の設備に投入式、フロアー直接投下式、その他任意の受け方式が考えられる。
［６］動力源（８）は自動式・手動式・半自動式…電動モーター式、シリンダー（エアー・油圧・電動・他）式、チェーンプロック式、人力式、その他任意の方式が考えられる。
［７］ワーク受け機器（６）のワーク（１１）衝突面にゴム・樹脂・その他の緩衝材を取り付け、又は、全体・一部に防音カバー等を設置して、騒音を押さえる事も考えられる。
［８］動力を伝える伝導材（１０）もチェーン・ベルト・ギヤー・ワイヤー・その他任意な物が考えられる。
［９］ワーク（１１）は金属類・岩石類・食品類・その他固形物類・粉末類・その他任意のワーク（１１）が考えられる。特に固い物・重量が有るワーク（１１）に効果が有り、適すると考えられる。
［１０］パレット（２）が蓋付きの場合、ふたを開閉して、又は取り外して、パレット保持器（４）に挿入する。
［１１］パレット（２）は専用パレットでも良いし、サイズの異なったパレット（６）を兼用する場合、パレット保持器（４）の内部サイズを変更調整できる構造とする。
【符号の説明】
【０００９】開閉蓋（１）        パレット（２）      蓋開閉装置（３）
パレット保持器（４）    フレーム（５）    ワーク受け機器（６）
回転シャフト（７）    動力源（８）    衝突緩衝材（９）
伝導材（１０）  ワーク（１１）
【図１】
0003167501.tif 000003
【図２】
0003167501.tif 000004
【図３】
0003167501.tif 000005
(57)【要約】      （修正有）【課題】昨今高齢者のブレーキとアクセルペタルの誤認による踏み違いの交通事故が多発しており、現在の足を乗せているペタルの場所をセンサーで検知しランプで点灯表示し瞬時に足の場所を再確認する誤認再確認装置を提供する。【解決手段】交差点で運転者が馴染んでいる信号機と同じ赤黄青ランプを配列したモニター表示機とブレーキペタルやアクセルペタルには足乗せ感知センサー付カバーを取り付け常に足の乗ったペタル場所を再確認させて誤認による交通事故を軽減させる。【選択図】図１
0003167590.tif 000002
【実用新案登録請求の範囲】
【請求項１】
ブレーキかアクセルのペタルに足をのせるとセンサーが感知するペタルカバーとブレーキ赤、アクセル青と黄色のランプ、ブザー内臓の表示機と組み合わせたペタル誤認再確認装置。
【考案の詳細な説明】
【技術分野】
【０００１】  本考案は赤、青、黄色ランプ表示部とブザー音によるブレーキ、アクセルペタル足踏み誤認再確認装置に関する。
【背景技術】
【０００２】  従来の装置はブレーキやアクセルの誤認防止装置でも制御コントロールなど複雑な機構装置が多い。
【考案の開示】
【考案が解決しようとする課題】
【０００３】  従来の装置は複雑構造が多く本考案では簡単にブレーキとアクセルの足踏み誤認を運転者に信号機と同じランプ色別のランプ点灯とブザー音でいかに誤認を気ずかせ確認させるかが課題である。
【課題を解決するための手段】
【０００４】  本考案ではブレーキとアクセルの踏み間違い誤認が無いように信号機の色別配列を利用しペタル確認するために足踏みセンサー付カバーを取り付けたブレーキペタルとアクセルペタルを踏むことで青ランプ表示は進めのアクセルペタル、停止赤ランプはブレーキペタルに連動してランプが点灯し運転者に誤認が無いように再確認させる。【０００５】  ペタルを踏んだ時にランプ表示を見るようにブレーキペタルかアクセルペタルのいずれか踏んだ時は１秒間ブザーが鳴りランプが点灯します、、ブレーキペタルとアクセルペタル両方踏んだ時はブザーは鳴り続け黄色ランプが点灯して注意しペタル足踏み誤認がないように再確認させる。
【考案の効果】
【０００６】  高齢者の交通事故にブレーキペタルとアクセルペタルの踏み間違いの誤認が多く複雑な構造の防止対策はありますが複雑でコストも掛かりますが本考案の製品は現在の車に赤、青、黄色の信号機と同じ色別配列表示ランプとブザーを組み込んだ表示装置をダッシュボードに取り付け固定しブレーキペタル、アクセルペタルに足踏み検知センサー付カバーを取付けるだけで現在の足が踏んでいるペタルを赤ランプは止まれのブレーキペタルか青ランプは進めアクセルペタルか再確認させ高齢者のペタル踏み誤認事故を減らす効果がある。
【考案を実施するための最良の形態】
【実施例】
【０００７】  本考案のペタル誤認再確認装置外観図の図面に従って動作説明を行います（図１）１は表示ランプ５、ブザー、電池内蔵ケースを２の表示固定台でダッシュボードに取付け、３、センサー信号コードを接続した４、足踏み感知センサー付アクセルペタルカバー６、足踏み感知センサー付ブレーキペタルカバーを各ペタルに取り付けて設置完了する。【０００８】    次に車を前後に移動する時はアクセルペタルに足を乗せますと感知センサーが作動し４−２青ランプが点灯し５ブザーによりブザー音が１秒鳴り進めを瞬時に再確認しＯＫならアクセルペタルを踏み込みます。【０００９】    ブレーキペタルに足を乗せますと感知センサーが作動し６−２赤ランプが点灯し５ブザーによりブザー音が１秒鳴り停止を瞬時に再確認しＯＫならブレーキペタルを踏み込みます。【００１０】    ブレーキ、アクセルの両方ペタルに足を乗せますと感知センサーが作動し５−１黄色ランプが点灯して５ブザーによりブザー音が鳴り続け注意を知らせます以上の動作をランプ識別点灯とブザー音によりブレーキとアクセルのペタル誤認を瞬時に判断し誤認事故を減らす効果がある。
【図面の簡単な説明】
【００１１】
【図１】  ペタル誤認再確認装置
【符号の説明】
【００１２】  １  ランプ表示ケース
２  ランプ表示固定台
３  センサー信号コード
４  足踏み感知センサー付アクセルペタルカバー
４−１  アクセル感知センサー
４−２  青色進めランプ
５  ブザー
５−１  黄色注意ランプ
６  足踏み感知センサー付ブレーキペタルカバー
６−１  ブレーキ感知センサー
６−２  赤色停止ランプ
【図１】
0003167590.tif 000003
【手続補正書】
【提出日】平成23年2月10日(2011.2.10)
【手続補正１】
【補正対象書類名】実用新案登録請求の範囲
【補正対象項目名】全文
【補正方法】変更
【補正の内容】
【実用新案登録請求の範囲】
【請求項１】
アクセルペダルとブレーキペダルにそれぞれ取付ける足踏み感知センサー内蔵センサーカバーと足踏み感知センサーＯＮかＯＦＦ信号をＬＥＤで点灯表示する表示機との組み合わせによるペダル踏み誤認再確認装置。
(57)【要約】      （修正有）【課題】複数の飲料を一つの水筒で携帯できるようにした分割水筒を提供する。【解決手段】ステンレス水筒の内筒に仕切りをつけて、複数の飲料を一つの水筒で携帯できるようにして、分割水筒を形成する。さらに、分割水筒の内蓋は、飲料が混合しないように、ヒンジ等で上下に開閉する構造を備える。また、分割水筒の内蓋は、複数の飲料に合わせて、単独の注ぎ口を内蓋に設ける。【選択図】図１
0003167584.tif 000002
【実用新案登録請求の範囲】
【請求項１】
水筒の内筒に仕切りをつけて、複数の飲料を一つの水筒で携帯できるようにするものである。
【請求項２】
内蓋は、飲料が混合しないように、ヒンジ等で上下に開閉できるようにする。
【請求項３】
複数の飲料（図の場合３室）に合わせて、単独の注ぎ口を内蓋に設ける。
【考案の詳細な説明】
【技術分野】
【０００１】本考案は、複数の飲料を一つの水筒で、携帯できるものである。
【背景技術】
【０００２】従来の水筒は、単一の飲料を携帯するものである。
【考案の概要】
【考案が解決しようとする課題】
【０００３】複数の飲料を一つの水筒で、携帯する。
【課題を解決するための手段】
【０００４】従来の水筒に、内仕切りをつける。
【考案の効果】
【０００５】上述の様に本考案は、水筒の内筒に、仕切りを追加することよって、複数の飲料を一つの水筒で、携帯できるものである。
【図面の簡単な説明】
【０００６】
【図１】内仕切りの図
【図１】
0003167584.tif 000003
【手続補正書】
【提出日】平成22年10月10日(2010.10.10)
【手続補正１】
【補正対象書類名】実用新案登録請求の範囲
【補正対象項目名】全文
【補正方法】変更
【補正の内容】
【実用新案登録請求の範囲】
【請求項１】
ステンレス水筒の内筒に仕切りをつけて、複数の飲料を一つの水筒で携帯できるようにする、分割水筒。
【請求項２】
（複数の飲料を一つの水筒で携帯する）を特徴とする、請求項１記載の分割水筒の内蓋（プラスチック等）は、飲料が混合しないように、ヒンジ等で上下に開閉する分割水筒。
【請求項３】
（複数の飲料を一つの水筒で携帯する）を特徴とする、請求項１記載の分割水筒の内蓋（プラスチック等）は、複数の飲料に合わせて、単独の注ぎ口を内蓋に設けた、分割水筒。
【手続補正書】
【提出日】平成22年12月12日(2010.12.12)
【手続補正１】
【補正対象書類名】実用新案登録請求の範囲
【補正対象項目名】全文
【補正方法】変更
【補正の内容】
【実用新案登録請求の範囲】
【請求項１】
ステンレス水筒の内筒に仕切りをつけて、複数の飲料を一つの水筒で携帯できるようにする、分割水筒。
【請求項２】
分割水筒の内蓋は、飲料が混合しないように、ヒンジ等で上下に開閉する構造を有する分割水筒。
【請求項３】
分割水筒の内蓋は、複数の飲料に合わせて、単独の注ぎ口を内蓋に設けた、分割水筒。
【手続補正書】
【提出日】平成23年2月13日(2011.2.13)
【手続補正１】
【補正対象書類名】実用新案登録請求の範囲
【補正対象項目名】全文
【補正方法】変更
【補正の内容】
【実用新案登録請求の範囲】
【請求項１】
ステンレス水筒の内筒に仕切りをつけて、複数の飲料を一つの水筒で携帯できるようにする、分割水筒。
【請求項２】
請求項１記載の分割水筒の内蓋は、飲料が混合しないように、ヒンジ等で上下に開閉する構造を有する分割水筒。
【請求項３】
請求項１記載の分割水筒の内蓋は、複数の飲料に合わせて、単独の注ぎ口を内蓋に設けた、分割水筒。
(57)【要約】      （修正有）【課題】患者を乗り降りさせる際の、介護者の負担を軽くする車椅子を提供する。【解決手段】車椅子の背もたれのハンドルを、座席の後部を軸にして回転可能とする。【選択図】図１
0003167587.tif 000002
【実用新案登録請求の範囲】
【請求項１】
車椅子の背もたれ部分のハンドルを倒したり戻したり出来る様にした事
【請求項２】
車椅子の背もたれを開け、患者さんが座ってから背もたれを取り付けるようにした事
【考案の詳細な説明】
【技術分野】
【０００１】この考案は  シングルベットから車椅子へ  又  車椅子からシングルベット、への乗り降りが簡単に出来る車椅子
【背景技術】
【０００２】シングルベットから車椅子に乗り降りするときに図１の様に、車椅子の背もたれのハンドルを倒しシングルベットと車椅子との橋渡しに取りつけ、クッションや座り椅子などに患者さんを乗せ橋渡しのハンドルの上を滑らせ車椅子に乗せ，座ってからハンドルを起こして使う事
ハンドルが固定な車椅子の場合は、背もたれの部分を開けシングルベットと車椅子のすき間に橋渡しの台をして、クッションや座り椅子に患者さんを乗せ橋渡しの台の上を滑らせて車椅子に乗せてから背もたれを付けて使う事
【考案の開示】
【考案が解決しようとする課題】
【０００３】今までの車椅子は、シングルベットから車椅子に乗り降りする時に、患者さんを抱え前や横から乗り降りさせていたので、介護する人が腰を痛める人が多いいと聞き介護する人が助かると思い考案しました
【課題を解決するための手段】
【０００４】この考案は、車椅子の背もたれのハンドルを倒せる様に作りシングルベットと車椅子との橋渡しに倒し、クッションや座り椅子などの上に患者さんお乗せ前向きに車椅子の左右の握り手の間を滑らせて乗せ、座ってからハンドルを起こして使う事
ハンドルが固定な車椅子の場合は、背もたれの部分を開けシングルベットと車椅子のすき間に橋渡しに台おしてクッションや座り椅子に患者さんを乗せて橋渡しの台の上を滑らせて乗せ、座ってから背もたれを付けてから使う事
【考案の効果】
【０００５】車椅子の背もたれのハンドルをシングルベット側へ倒し患者さんをクッションや座り椅子などの上に前向に乗せ、滑らせて乗せる事で介護する人の負担が軽くなり座ってから背もたれのハンドルを起こして使う事で今と変わらなく使える
ハンドルが固定な車椅子の場合は、背もたれの部分を開けシングルベットと車椅子のすき間に橋渡しの台をし、クッションや座り椅子などの上に患者さんを乗せ前向きに台の上を滑らし乗せ、座ってから背もたれを付けるので介護する人の負担が軽くなり今と変わらず使える
【考案を実施するための最良の形勢】
【実施例】
【産業上の利用可能性】
【０００６】この考案の一実施形能、図１に示す。
車椅子の背もたれのハンドルを車椅子とシングルベットの間の橋渡しに倒せるようにした事でクッションや座椅子などの上に患者さんを乗せ前向きに橋渡しの背もたれの上を滑らせ、乗せてから背もたれのハンドルを起して使う
背もたれのハンドルが固定な車椅子の場合は、背もたれを開けて車椅子とシングルベットのすき間に橋渡しの台を付け、クッションや座り椅子などの上に患者さんを乗せ橋渡しの台の上を滑らせ車椅子に乗せ、座ってから背もたれを付けて使う
【図面の簡単な説明】
【０００７】
【図１】乗り降り楽々車椅子  １  背もたれのハンドルが開く様にした車椅子を横から見た図  １ａ  背もたれのハンドルを倒した所  ２  後ろから車椅子を見  背もたれを開けた図
【図２】シングルベットとの横に車椅子を取り付けた図  １  車椅子  ３  シングルベット  ４  シングルベットと車椅子の橋渡しの台  ５  シングルベットと車椅子を金具やひもやバンドなどで固定した所
【図３】シングルベットから患者さんを車椅子に乗せるところ  １  車椅子  ３  シングルベット  ４  シングルベットと車椅子の橋渡しの台  ５  シングルベットと車椅子を金具やひもや又バンドなど固定した所
【図４】患者さんを乗せてから付ける背もたれの例です  ６  座り椅子を背もたれとして使える  ７  背もたれ
【図１】
0003167587.tif 000003
【図２】
0003167587.tif 000004
【図３】
0003167587.tif 000005
【図４】
0003167587.tif 000006
【手続補正書】
【提出日】平成23年1月4日(2011.1.4)
【手続補正１】
【補正対象書類名】実用新案登録請求の範囲
【補正対象項目名】全文
【補正方法】変更
【補正の内容】
【実用新案登録請求の範囲】
【請求項１】
車椅子の背もたれのハンドルを、座席の後部を軸にして回転可能とした車椅子。